(57)【要約】【課題】スプールの前方にモータが配置される電動リールのレベルワインド機構において、釣り糸がモータの収納部に接触しないようにする。【解決手段】レベルワインド機構２２は、リール本体１に収納されるモータ１２がスプール１０の前方に配置される機構である。レベルワインド機構２２は、釣り糸ガイド２３と、トラバースカム軸２４と、を備えている。釣り糸ガイド２３は、モータ１２の上方にモータ１２の中心ＭＣを挟んで概ね前後方向に延び、釣り糸を案内する筒状のガイド部２５ａを有する。トラバースカム軸２４は、外周面に交差する螺旋状溝２４ａが形成され、少なくともスプール１０の糸巻取方向の回転に連動してスプールの回転軸と平行な方向に釣り糸ガイドを往復移動させる。【選択図】図９
2014000029.tif 000002
【特許請求の範囲】
【請求項１】
リール本体に収納されるモータがスプールの前方に配置される電動リールのレベルワインド機構であって、
前記モータの上方に前記モータの中心を挟んで概ね前後方向に延び、釣り糸を案内する筒状のガイド部を有する釣り糸ガイドと、
外周面に交差する螺旋状溝が形成され、少なくとも前記スプールの糸巻取方向の回転に連動して前記スプールの回転軸と平行な方向に前記釣り糸ガイドを往復移動させるトラバースカム軸と、
を備える電動リールのレベルワインド機構。
【請求項２】
前記トラバースカム軸は、前記モータの中心よりも前方に配置される、請求項１に記載の電動リールのレベルワインド機構。
【請求項３】
前記トラバースカム軸は、前記モータの中心よりも上方に配置される、請求項１又は２に記載の電動リールのレベルワインド機構。
【請求項４】
前記ガイド部は、前端部が後端部よりも前記モータから離反するように前上がりに傾斜する、請求項１から３のいずれか１項に記載の電動リールのレベルワインド機構。
【請求項５】
前記ガイド部は、内部を釣り糸が通過可能であり、前記モータの中心を挟んで配置される筒状の通過部と、前記通過部の内部に配置される少なくとも１つの硬質リング部と、を有する、請求項１から４のいずれか１項に記載の電動リールのレベルワインド機構。
【請求項６】
前記釣り糸ガイドは、
前記ガイド部と、前記ガイド部と一体で形成される収納部と、とを有し、前記トラバースカム軸が貫通するガイド本体と、
前記収納部に収納され前記螺旋状溝に係合する係合部材と、を有する、請求項１から５のいずれか１項に記載の電動リールのレベルワインド機構。
【請求項７】
前記モータは、前記リール本体に設けられる筒状のモータ収納部に収納され、
前記ガイド本体は、前記ガイド部から前記収納部に向かって前記モータ収納部の外周面に沿って湾曲して形成される、請求項６に記載の電動リールのレベルワインド機構。
【請求項８】
前記ガイド部の前記スプール側の端部に前記ガイド部を貫通して前記トラバースカム軸と平行に配置される第１ガイド軸と、前記ガイド部と前記収納部との間で前記ガイド本体を貫通して前記トラバースカムと平行に配置される第２ガイド軸と、をさらに備える、請求項６又は７に記載の電動リールのレベルワインド機構。
【請求項９】
前記モータと、
前記スプールと
請求項１から８のいずれか１項に記載のレベルワインド機構と、
を備える電動リール。
【発明の詳細な説明】
【技術分野】
【０００１】
本発明はレベルワインド機構、特に、リール本体に装着されるモータがスプールの前方に配置される電動リールのレベルワインド機構に関する。
【背景技術】
【０００２】
電動リールにおいて、スプールを駆動するモータがスプールの前方に配置されているものが従来知られている。モータのスプールの前方に配置された筒状のモータ収納部に収納されている。モータがスプールの前方に配置されるリールでは、レベルワインド機構の釣り糸ガイドをモータの前方に配置するとスプールまでの距離が長くなり、糸巻形状がばらついて安定しない。そこで、モータとスプールとの間に釣り糸ガイドを配置した電動リールが従来知られている（特許文献１の図９参照）。
【先行技術文献】
【特許文献】
【０００３】
【特許文献１】特開２０１２−０９０６４５号公報
【発明の概要】
【発明が解決しようとする課題】
【０００４】
従来のレベルワインド機構では、釣り糸ガイドがモータとスプールの間に配置されているため、釣り糸ガイドから出た釣り糸がモータの収納部の外周面に接触するおそれがある、モータの収納部に釣り糸が接触すると、釣り糸の繰り出し速度が低下しやすい。
【０００５】
本発明の課題は、スプールの前方にモータが配置される電動リールのレベルワインド機構において、釣り糸がモータの収納部に接触しないようにすることにある。
【課題を解決するための手段】
【０００６】
発明１に係る電動リールのレベルワインド機構は、リール本体に収納されるモータがスプールの前方に配置される機構である。レベルワインド機構は、釣り糸ガイドと、トラバースカム軸と、を備えている。釣り糸ガイドは、モータの上方にモータの中心を挟んで概ね前後方向に延び、釣り糸を案内する筒状のガイド部を有する。トラバースカム軸は、外周面に交差する螺旋状溝が形成され、少なくともスプールの糸巻取方向の回転に連動してスプールの回転軸と平行な方向に釣り糸ガイドを往復移動させる。
【０００７】
このレベルワインド機構では、トラバースカム軸の回転により往復移動する釣り糸ガイドの筒状のガイド部がモータの中心を挟んで概ね前後方向に延びている。このため、モータの真上を通過する釣り糸が筒状のガイド部に案内される。これにより、釣り糸がモータの収納部に接触しなくなる。
【０００８】
発明２に係る電動リールのレベルワインド機構は、発明１に記載の機構において、トラバースカム軸は、モータの中心よりも前方に配置される。この場合には、モータの中心よりトラバースカム軸が前方に配置されても、ガイド部の後端部がスプールに近い位置に配置されるので、糸巻形状が安定する。
【０００９】
発明３に係る電動リールのレベルワインド機構は、発明１又は２に記載の機構において、トラバースカム軸は、モータの中心よりも上方に配置される。この場合には、トラバースカム軸がモータの中心よりも上方に配置されるので、ガイド部とトラバースカム軸との距離が短くなり、トラバースカム軸の回転により移動する釣り糸ガイドががたつきにくくなり、釣り糸を安定して案内できる。
【００１０】
発明４に係る電動リールのレベルワインド機構は、発明１から３のいずれかに記載の機構において、ガイド部は、前端部が後端部よりもモータから離反するように前上がりに傾斜する。この場合には、ガイド部が前上がりに傾斜するので、濡れた釣り糸からの水がガイド部内に付着しても、付着した水が傾斜によりガイド部から抜けやすくなる。
【００１１】
発明５に係る電動リールのレベルワインド機構は、発明１から４のいずれかに記載の機構において、ガイド部は、内部を釣り糸が通過可能であり、モータの中心を挟んで配置される筒状の通過部と、通過部の内部に配置される少なくとも１つの硬質リング部と、を有する。この場合には、釣り糸が硬質リング部に接触するので、釣り糸が接触してもガイド部が磨耗しにくい。また、硬質リング部の表面を滑らかにすることで、釣り糸が接触しても繰り出し速度か低下しにくい。
【００１２】
発明６に係る電動リールのレベルワインド機構は、発明１から５のいずれかに記載の機構において、釣り糸ガイドは、ガイド本体と、係合部材と、を有する。ガイド本体は、ガイド部と、ガイド部と一体で形成される収納部と、とを有し、トラバースカム軸が貫通する。係合部材は、収納部に収納され螺旋状溝に係合する。この場合には、係合部材がトラバースカム軸の交差する螺旋状溝に係合することにより、釣り糸ガイドが往復移動する。
【００１３】
発明７に係る電動リールのレベルワインド機構は、発明６に記載の機構において、モータは、リール本体に設けられる筒状のモータ収納部に収納される。ガイド本体は、ガイド部から収納部に向かってモータ収納部の外周面に沿って湾曲して形成される。この場合には、ガイド部から係合部材が収納される収納部がモータ収納部の外周面に沿って形成されるので、ガイド本体をコンパクトに配置できる。
【００１４】
発明８に係る電動リールのレベルワイン機構は、発明６又は７に記載の機構において、第１ガイド軸と第２ガイド軸とをさらに備える。第１ガイド軸は、ガイド部のスプール側の端部にガイド部を貫通してトラバースカム軸と平行に配置される。第２ガイド軸は、ガイド部と収納部との間でガイド本体を貫通してトラバースカム軸と平行に配置される。この場合には、従来設けられる第２ガイド軸に加えて糸繰り出し時に釣り糸が案内される入り口付近に第１ガイドを設けることにより、釣り糸が絡みにくくなる。また、第２ガイド軸により、前後方向長さが長いガイド部の補強を行うことができる。これにより、釣り糸ガイドが安定して案内され、釣り糸ガイドの往復移動がスムーズになる。
【００１５】
発明９に係る電動リールは、モータと、スプールと、発明１から８のいずれかに記載のレベルワインド機構と、を備えている。
【００１６】
この場合には、上記作用効果を奏する電動リールを得ることができる。
【発明の効果】
【００１７】
本発明によれば、モータの真上を通過する釣り糸が筒状のガイド部に案内される。これにより、釣り糸がモータの収納部に接触しなくなる。
【図面の簡単な説明】
【００１８】
【図１】本発明の第１実施形態による電動リールの平面図。その
【図２】その正面図。
【図３】その右側面図
【図４】その左側面図
【図５】その底面図。
【図６】第２側カバーを外した状態の電動リールの右側面図。
【図７】図３の切断線VII−VIIによる断面図。
【図８】図３の切断線VIII−VIIIによる断面図。
【図９】図２の切断線IX−IXによる断面図。
【図１０】第１側カバーを外した状態の電動リールの左側面図。
【図１１】ヒートシンクカバーを外した状態の電動リールの左側面図。
【図１２】図６の後部の側面部分図。
【図１３】本発明の第２実施形態による電動リールの図９に相当する図。
【発明を実施するための形態】
【００１９】
＜第１実施形態＞
図１、図２、図３、図４、図５及び図６において、本発明の第１実施形態に係る両軸受リールである電動リール１００は、外部電源から供給された電力により駆動されるとともに、手巻きリールとして使用するときの電源を内部に有するリールである。また、電動リールは、糸繰り出し長さ又は糸巻取長さに応じて仕掛けの水深を表示する水深表示機能を有するリールである。なお、以降の説明では、釣り糸が繰り出される前後方向を第１方向Ｘといい、それと直交する左右方向を第２方向Ｙという。
【００２０】
電動リール１００は、釣り竿に装着可能なリール本体１と、リール本体１に回転自在に装着されたハンドル２と、ハンドル２の内側に配置されたドラグ調整用のスタードラグ３と、リール本体１の内部に配置された糸巻用のスプール１０と、を備えている。
【００２１】
＜リール本体の構成＞
リール本体１は、図７及び図８に示すように、フレーム７と、第１側カバー８ａと、第２側カバー８ｂと、前カバー９と、カウンタケース４と、を備える。フレーム７は、一体形成された第１側板７ａと、第１側板７ａと第２方向Ｙに間隔を隔てて配置された第２側板７ｂと、第１側板７ａと第２側板７ｂとを連結する第１連結部材７ｃ及び第２連結部材７ｄと、を有している。第１側カバー８ａは、フレーム７のハンドル２の装着側と逆側を覆う。第２側カバー８ｂは、フレーム７のハンドル２装着側を覆う。前カバー９は、フレーム７の前部を覆う。
【００２２】
第１側板７ａには、図７に示すように、スプール１０が通過可能な円形開口７ｅが形成されている。円形開口７ｅには、スプール１０のスプール軸１４の第１端（図７右端）を回転自在に支持するスプール支持部１７が芯出しされて装着されている。
【００２３】
スプール支持部１７は、図７及び図１１に示すように、概ね円形の部材である。スプール支持部１７は、第１側板７ａの外側面に、周方向に間隔を隔てて配置された複数箇所（例えば３箇所）でネジ止め固定されている。スプール支持部１７は、スプール軸１４の第１端を支持する第１軸受１８ａを収納する軸受収納部１７ａと、第１側カバー８ａの後述する放熱カバー８ｄを固定するための２つのボス部１７ｂと、有している。また、スプール支持部１７は、スプール１０の回転を検出するためのスプールセンサ６３が配置されるセンサ配置部１７ｃを有している。軸受収納部１７ａは、スプール支持部１７の外側面に突出して有底筒状に形成される。ボス部１７ｂは、スプール支持部１７の外側面から軸方向外方に突出して形成される。
【００２４】
センサ配置部１７ｃは、周囲を囲む壁部１７ｄを有している。センサ配置部１７ｃは、スプールセンサ６３が搭載された基板への電気配線が終わると壁部１７ｄ内が合成樹脂製の封止剤により封止される。これにより、スプールセンサ６３が絶縁される。
【００２５】
スプールセンサ６３は、例えば、スプール１０の回転方向に並べて配置された磁力を検出可能な２つの磁力センサ（例えば、リードスイッチ又はホール素子）６３ａ，６３ｂを有している。スプール１０は、スプールセンサ６３に対向可能な位置に磁石１０ａを有している。この磁石１０ａを検出することによりスプール１０の回転速度及び回転位置を検出できる。また、磁力検出センサ６３ａ及び磁力センサ６３ｂのいずれが先に磁石１０ａを検出したかにより、スプール１０の回転方向（糸巻取方向又は糸繰り出し方向）を検出できる。
【００２６】
図７及び図８に示すように、第２側板７ｂは、各種の機構を装着するために設けられている。第２側板７ｂと第２側カバー８ｂとの間には、スプール駆動機構１３と、後述するクラッチ機構１６を制御するクラッチ制御機構２０と、キャスティングコントロール機構２１と、が設けられている。
【００２７】
第１側板７ａと第２側板７ｂとの間には、スプール１０と、クラッチ機構１６と、スプール１０に釣り糸を均一に巻き付けるための本発明の一実施形態によるレベルワインド機構２２と、が設けられている。クラッチ機構１６は、スプール１０に動力を伝達する動力伝達状態（クラッチオン）と動力を遮断する動力遮断状態（クラッチオフ）とに切り換える。リール本体１の後部において、第１側板７ａと第２側板７ｂとの間には、クラッチ機構１６をオンオフ操作するためのクラッチ操作部材１１が揺動可能に設けられている。クラッチ操作部材１１は、図１２に実線で示すクラッチオン位置と、二点鎖線で示すクラッチオフ位置と、の間で揺動する。
【００２８】
リール本体１は、第２側板７ｂの外側面に第２側板７ｂと第２方向Ｙに間隔を隔てて配置され、第２側カバー８ｂとの間の空間に上記の機構を装着するための機構装着板１９をさらに備えている。機構装着板１９は、第２側板７ｂの外側面にネジ止め固定されている。
【００２９】
第１連結部材７ｃは、第１側板７ａ及び第２側板７ｂの下部を前後２箇所で連結する。第２連結部材７ｄはスプール１０の前部を連結する。第１連結部材７ｃは、板状の部分であり、その左右方向の略中央部分に釣り竿に取り付けるための竿取付脚７ｆが一体形成されている。第２連結部材７ｄは、スプール１０の前方に配置される概ね円筒状の部分であり、その内部にスプール１０駆動用のモータ１２（図７及び図９参照）が収容されている。したがって、モータ１２は、スプール１０の前方に配置される。第２連結部材７ｄの第１側板７ａ側の開口は、たとえば、アルミニウム合金等の金属製のモータ保持部１５により塞がれている。
【００３０】
モータ保持部１５は、図７及び図１１に示すように、概ね円板形状の部材である。モータ保持部１５は、第１側板７ａに複数箇所でネジ止め固定されている。モータ保持部１５は、モータ１２をネジ止め固定する。モータ保持部１５は、モータ１２の糸繰り出し方向の回転を禁止するためのローラ型のワンウェイクラッチを有する逆転禁止部４４が配置されるクラッチ収納部１５ａと、モータ１２の接続端子を配置するための端子配置孔１５ｂと、２つの位置決め突起１５ｃと、を有している。また、モータ保持部１５は、１つの取付ボス１５ｄを有している。クラッチ収納部１５ａは外側面に突出するように有底筒状に形成される。端子配置孔１５ｂは、電気配線が接続された後に封止剤により封止される。モータ保持部１５と第２連結部材７ｄとの間にはＯリングなどのシール部材が装着される。これらにより、第２連結部材７ｄ内への液体の浸入が防止される。取付ボス１５ｄは、モータ保持部１５の外側面から軸方向外方に突出している。取付ボス１５ｄには、モータ１２を冷却するための放熱フィン４１がネジ止め固定されている。
【００３１】
放熱フィン４１は、例えば、アルミニウム合金製である。放熱フィン４１は、表面積を大きくするための複数の線状の凸部４１ａを外側面に有している。放熱フィン４１は、位置決め突起１５ｃに位置決めされる２つの位置決め凹部４１ｂを内側面に有している。また放熱フィン４１は、取付ボス１５ｄに向かって延びる取付脚４１ｃを有している。この取付脚４１ｃがモータ保持部１５の取付ボス１５ｄにネジ止め固定される。
【００３２】
第１側カバー８ａは、第１側板７ａの外縁部に例えばネジ止めされている。第１側カバー８ａの前部下面には、図４に示すように、電源ケーブル接続用のコネクタ４３が下向きに装着されている。第１側カバー８ａは、電動リール１００の側部の後側をカバーするカバー本体８ｃと、電動リール１００の側部の前側をカバーする放熱カバー８ｄとを有している。カバー本体８ｃは、第１側板７ａにネジ止めされる。
【００３３】
放熱カバー８ｄは、放熱フィン４１を覆う。放熱カバー８ｄは、放熱フィン４１の放熱性能を向上するために、複数のスリット８ｅを有している。スリット８ｅから放熱フィン４１を覗くことができる。放熱カバー８ｄは、図１０に示すように、カバー本体８ｃではなく、後部がスプール支持部１７に複数箇所（例えば２箇所）でネジ止めされ、前部が第１側板７ａの前部に１箇所でネジ止めされる。これにより、第１側カバー８ａ全体のコンパクト化を図ることができ、かつ放熱フィン４１を覆う第１側カバー８ａの組み立てを行いやすくなる。また、複数のスリット８ｅが形成される放熱カバー８ｄにヒケが生じてもカバー本体８ｃとの姿合わせを行いやすい。さらに、第１側カバー８ａがカバー本体８ｃと放熱カバー８ｄとに分割されるため、モータ１２などへの配線を行いやすくなる。
【００３４】
第２側カバー８ｂには、ハンドル２が一体回転可能に連結される駆動軸３０を回転自在に支持するための第１ボス部８ｆが外方に突出して形成されている。第１ボス部８ｆの後方には、スプール軸１４の第２端を支持する第２ボス部８ｇが外方に突出して形成されている。第２側カバー８ｂの第１ボス部８ｆの上方には、モータ１２を複数の段数（例えば３１の段数）に制御するための調整レバー５（図３参照）が揺動自在に支持されている。調整レバー５には、図示しないロータリエンコーダが連結されている。図５に示すように、第２側カバー８ｂと、第２側板７ｂの下部のそれぞれには、段差８ｈと段差７ｇとが間隔をあけて形成される。この隙間がリール本体１の内部に浸入した水を抜くための水抜き孔５６として機能する。
【００３５】
前カバー９は、第１側板７ａ及び第２側板７ｂの前部外側面の上下２箇所で、例えばネジ止め固定されている。前カバー９には、釣り糸通過用の横長の開口９ａ（図２）が形成されている。
【００３６】
＜カウンタケースの構成＞
カウンタケース４は、図１、図８及び図９に示すように、第１側板７ａ及び第２側板７ｂの上部に載置され、第１側板７ａ及び第２側板７ｂの外側面にネジ止め固定されている。カウンタケース４の内部には、水深表示用の液晶ディスプレイからなる表示器６１が収納されている。また、カウンタケース４の内部には、モータ１２及び表示器６１を制御する、例えばマイクロコンピュータからなるリール制御部６０（図１３）が設けられている。
【００３７】
カウンタケース４の上面には、図９に示すように、表示器６１が露出する矩形の開口４ａが形成されている。開口４ａは、合成樹脂製の透明なカバー部材４ｂによりカバーされている。図１に示すように、開口４ａの後方（図１下方）には、操作キー部６２が配置されている。操作キー部６２は、左右に並べて配置されたモータ制御選択スイッチＳＷ１と、０セットスイッチＳＷ２と、高切れスイッチＳＷ３とを有している。モータ制御選択スイッチＳＷ１は、モータ１２を張力一定モードで制御する張力モードと、速度一定モードで制御する速度モードとのいずれかを選択するためのスイッチである。０セットスイッチＳＷ２は、釣りを行う前に、仕掛けを水面に配置して水深表示値を０にセットするためのスイッチである。高切れスイッチＳＷ３は、釣り糸が途中で切れたとき、仕掛けを水面に配置して水深表示値を０にセットするためのスイッチである。カウンタケース４は、下面に第２方向Ｙに沿って形成された溝部４ｃを有している。
【００３８】
＜スプールの構成＞
スプール１０は、図７に示すように、スプール軸１４に一体回転可能に装着されている。スプール１０は、筒状の糸巻胴部１０ｂと、糸巻胴部１０ｂの両側に一体形成された大径の第１フランジ部１０ｃ及び第２フランジ部１０ｄと、を有している。スプール１０は、糸巻胴部１０ｂの直径が第１フランジ部１０ｃ及び第２フランジ部１０ｄの直径よりかなり小さい（例えば半分以下の直径）直径を有する深溝型のものである。第１フランジ部１０ｃに前述した磁石１０ａが固定される。スプール軸１４は、糸巻胴部１０ｂの内周部に圧入等の適宜の固定手段により固定されている。
【００３９】
スプール軸１４の第１端は、前述したようにスプール支持部１７で第１軸受１８ａにより支持されている。スプール軸１４の第２端（図７右端）は、第２側カバー８ｂの第２ボス部８ｇに第２軸受１８ｂにより支持されている。
【００４０】
スプール軸１４は、スプール１０が固定された大径部１４ａと、大径部１４ａの第１端側の第１小径部１４ｂと、大径部１４ａの第２端側の第２小径部１４ｃと、を有している。大径部１４ａのスプール固定部分より第２小径部１４ｃ側には、クラッチ機構１６を構成するクラッチピン１６ａが径方向を貫通して装着されている。
【００４１】
＜クラッチ機構及びクラッチ制御機構の構成＞
クラッチ機構１６は、クラッチピン１６ａと、後述するピニオンギア３２の図７右側端面に径方向に沿って十字に凹んで形成されたクラッチ凹部１６ｂと、を有している。ピニオンギア３２は、クラッチ機構１６を構成するとともに後述する第１回転伝達機構４５を構成している。ピニオンギア３２は、スプール軸１４方向に沿って、図７に示すクラッチオン位置とクラッチオン位置より図３左側のクラッチオフ位置との間で移動する。クラッチオン位置では、クラッチピン１６ａがクラッチ凹部１６ｂに係合してピニオンギア３２の回転がスプール軸１４に伝達され、クラッチ機構１６は、クラッチオン状態になる。このクラッチオン状態では、ピニオンギア３２とスプール軸１４とが一体回転可能になる。また、クラッチオフ位置では、クラッチ凹部１６ｂがクラッチピン１６ａから離反してピニオンギア３２の回転がスプール軸１４に伝達されない。このため、クラッチ機構１６は、クラッチオフ状態になり、スプール１０は自由回転可能になる。
【００４２】
クラッチ制御機構２０は、クラッチ操作部材１１の図１２に実線で示すクラッチオン位置と図１２に二点鎖線で示すクラッチオフ位置との間の揺動によりクラッチ機構１６をクラッチオン状態とクラッチオフ状態とに切り換える。クラッチ制御機構２０は、図１２に示すように、クラッチ操作部材１１のクラッチオン位置とクラッチオフ位置との移動に応じてオン位置（図１２実線）とオフ位置（図１２二点鎖線）とに回動するクラッチプレート２０ａを有している。クラッチプレート２０ａは例えばスプール軸１４回りに回動する。クラッチプレート２０ａには、クラッチ機構１６がクラッチオフ状態であることを検出するクラッチセンサ６４の検出子４２が設けられている。検出子４２は、クラッチプレート２０ａと一体で移動するアーム部４２ａと、アーム部４２ａの先端に設けられる磁石４２ｂと、を有している。クラッチセンサ６４は、第２側板７ｂに設けられるセンサ基板５５に搭載される。クラッチセンサ６４は、磁力を検出可能な磁力センサ（例えば、ホール素子又はリードスイッチ）を有している。クラッチセンサ６４は、クラッチプレート２０ａがオン位置にあると磁石４２ｂは、クラッチセンサ６４上に配置される。したがって、クラッチセンサ６４は、クラッチ操作部材１１がオン位置にあるとオンし、オン位置から外れるとオフする。すなわち、クラッチセンサ６４は、クラッチ操作部材１１がクラッチオン位置にないことを検出することにより、クラッチ機構１６がオフ状態であることを検出する。
【００４３】
＜レベルワインド機構の構成＞
レベルワインド機構２２は、図９に示すように、リール本体１に対して回転し釣り糸を前方に繰り出すスプール１０の糸巻取方向の回転に連動して釣り糸を第２方向Ｙに往復移動させる機構である。レベルワインド機構２２は、釣り糸ガイド２３と、トラバースカム軸２４と、ガイドセンサ６５と、を備えている。トラバースカム軸２４は、外周面に交差する螺旋状溝２４ａを有し、釣り糸ガイド２３を第２方向Ｙに往復移動させる。ガイドセンサ６５は、釣り糸ガイド２３が所定位置にあることを検出する。トラバースカム軸２４は往復移動機構の一例である。ガイドセンサ６５は、釣り糸ガイド検出部の一例である。
【００４４】
釣り糸ガイド２３は、ガイド部２５ａを有するガイド本体２５と、係合部材２６と、を有している。ガイド部２５ａは、筒状に形成され、モータ１２の上方にモータ１２の中心ＭＣを通り上下方向に延びる中心線ＣＬを挟んで概ね第１方向Ｘに延びる。ガイド部２５ａは、この実施形態では、前端部が後端部よりもモータ１２から離反するように第１方向Ｘに沿って斜めに延びる。これにより、ガイド部２５ａが前上がりに傾斜して配置され、釣り糸からしごかれてガイド部２５ａの内部に付着する水が抜けやすくなる。
【００４５】
ガイド部２５ａは、内部を釣り糸が通過可能であり、モータ１２の中心ＭＣを挟んで配置される筒状の通過部２５ｂと、通過部２５ｂの内部に配置される少なくとも１つの硬質リング２５ｃと、を有している。この実施形態では、硬質リング２５ｃは、通過部２５ｂの長手方向長さより長い筒状の部材である。硬質リング２５ｃの後端は、通過部２５ｂの後端から突出して配置される。硬質リング２５ｃは、例えば、金属製又は硬質セラミック製である。硬質リング２５ｃの内周面の両端は断面が円弧状のフィレット形状に形成されている。
【００４６】
通過部２５ｂは、カウンタケース４の溝部４ｃに係合するように配置されるように突出する検出子収納部２５ｄを前端側の上部に有している。検出子収納部２５ｄには、ガイドセンサ６５により検出される検出子として機能する磁石２８が収納される。磁石２８は、釣り糸ガイド２３が所定位置に配置されるとガイドセンサ６５により検出される。所定位置は、例えば図２に示すように、スプール１０の第２方向Ｙの実質的に中心の位置に対応する位置である。
【００４７】
ガイド本体２５は、通過部２５ｂから第２連結部材７ｄに沿って湾曲して第２連結部材７ｄの前方に配置される。ガイド本体２５は、先端に係合部材２６が収納される収納部２５ｅを有している。通過部２５ｂの後部及びガイド本体２５の上下方向の中間部には、釣り糸ガイド２３を第２方向Ｙに案内する第１ガイド軸２７ａ及び第２ガイド軸２７ｂが貫通している。
【００４８】
第１ガイド軸２７ａ及び第２ガイド軸２７ｂは、第２方向Ｙに沿って配置され、両端が第１側板７ａ及び第２側板７ｂに各別に固定される。このように、従来設けられる第２ガイド軸２７ｂに加えて糸繰り出し時に釣り糸が案内される入り口付近に第１ガイド軸２７ａを設けることにより、釣り糸が絡みにくくなる。また、従来のガイド部に対して前後方向長さが長いガイド部２５ａの補強を行うことができる。これにより、釣り糸ガイド２３が安定して第２方向Ｙに案内され、釣り糸ガイド２３の往復移動がスムーズになり、ガイドセンサ６５の位置検出精度が向上する。
【００４９】
係合部材２６は、上下方向に沿って配置され、先端に螺旋状溝２４ａに係合する板状の係合部２６ａを有している。係合部材２６は、収納部２５ｅの端部に回動自在に装着される。
【００５０】
トラバースカム軸２４は、ガイド本体２５を貫通して配置される。トラバースカム軸２４は、モータ１２の中心ＭＣより上方かつ前方に配置される。トラバースカム軸２４は、外周面の一部を覆う断面が円弧状のカバー部２９によりカバーされる。カバー部２９は、ガイド本体２５を貫通しており、釣り糸ガイド２３の第２方向Ｙの案内部材としても機能する。トラバースカム軸２４が回転すると、釣り糸ガイド２３が第２方向Ｙに往復移動する。トラバースカム軸２４はスプール駆動機構１３により駆動される。トラバースカム軸２４のハンドル装着側の端部には、スプール駆動機構１３から駆動力が伝達される従動ギア５０（図６及び図７参照）が装着されている。
【００５１】
ガイドセンサ６５は、図９に示すように、カウンタケース４の下部において、溝部４ｃの上方に設けられている。ガイドセンサ６５は、磁石２８の磁力を検出可能な磁力センサ（例えば、ホール素子又はリードスイッチ）を有している。ガイドセンサ６５は、釣り糸ガイド２３の移動方向の中央位置（概ねスプール１０の第２方向Ｙの中心位置に対向する位置）に配置されている。すなわち、ガイドセンサ６５は、所定位置に対応して設けられている。これにより、磁石２８をガイドセンサ６５が検出すると、釣り糸ガイド２３が所定位置に移動したことを検出できる。
【００５２】
＜回転伝達機構の構成＞
スプール駆動機構１３は、スプール１０を糸巻取方向に駆動する。また、巻取時にスプール１０にドラグ力を発生させて釣り糸の切断を防止する。スプール駆動機構１３は、図６、図７及び図８に示すように、モータ１２と、モータ１２の糸繰り出し方向の回転を禁止する逆転禁止部４４と、第１回転伝達機構４５と、第２回転伝達機構４６と、を備えている。第１回転伝達機構４５は、モータ１２の回転を減速してスプール１０に伝達する。第２回転伝達機構４６は、ハンドル２の回転を、第１回転伝達機構４５を介して増速してスプール１０に伝達する。なお、図６において、矢印は糸巻取方向の各ギアの回転方向を示している。
【００５３】
第１回転伝達機構４５は、モータ１２の出力軸１２ａに連結された遊星歯車機構４７を有している。遊星歯車機構４７は、モータ１２の回転を１／２０から１／３０程度の範囲の減速比で減速してスプール１０に伝達する。遊星歯車機構４７は、モータ１２の出力軸１２ａに連結された第１遊星減速機構４８と、第１遊星減速機構４８に連結された第２遊星減速機構４９と、を有している。遊星歯車機構４７は、第２側板７ｂ及び機構装着板１９に両端を回転自在に支持されたケース５１内に収納される。ケース５１の内周面には、第１遊星減速機構４８及び第２遊星減速機構４９の内歯ギア５１ａが形成されている。第１遊星減速機構４８の太陽ギアは出力軸１２ａに一体回転可能に連結される。第２遊星減速機構４９の太陽ギアは、第１遊星減速機構４８のキャリアに一体回転可能に連結される。ケース５１に形成された内歯ギア５１ａの出力がスプール１０とレベルワインド機構２２とに伝達される。したがって、第１回転伝達機構４５は、回転伝達機構の一例である。第１回転伝達機構４５は、モータ１２の回転を、ハンドル２の駆動軸３０を経由せずにクラッチ機構１６を経由してスプール１０に伝達するとともに、クラッチ機構１６よりもモータ１２側でレベルワインド機構２２に伝達する回転伝達経路を有している。
【００５４】
第１回転伝達機構４５は、第１ギア部材５２と、第１ギア部材５２に噛み合う第２ギア部材５３と、第２ギア部材５３に噛み合うピニオンギア３２と、をさらに有している。第１ギア部材５２は、遊星歯車機構４７のケース５１の外周に形成されている。したがって、第１ギア部材５２は内歯ギアと一体回転可能である。第１ギア部材５２は、レベルワインド機構２２の従動ギア５０にも噛み合っている。第２ギア部材５３は、機構装着板１９と第２側板７ｂの外側面との間に配置されている。第２ギア部材５３は、第１ギア部材５２の回転をピニオンギア３２に回転方向を整合させて伝達するための中間ギアである。第２ギア部材５３は、機構装着板１９に回転自在に支持されている。ピニオンギア３２は、第２側板７ｂにスプール軸１４回りに回転自在かつ軸方向移動自在に装着されている。ピニオンギア３２は、クラッチ制御機構２０により制御されて軸方向にクラッチオン位置とクラッチオフ位置との間で移動する。
【００５５】
第２回転伝達機構４６は、図６及び図８に示すように、ハンドル２が一体回転可能に連結された駆動軸３０と、駆動ギア３１と、第３ギア部材５４と、ドラグ機構３３と、を有している。
【００５６】
駆動軸３０は、図６に示すように、第２側板７ｂ及び第２側カバー８ｂの第１ボス部８ｆに回転自在に支持されている。駆動軸３０には、ドラグ機構３３のドラグ座金３７が一体回転可能に装着されている。駆動軸３０の先端には、ハンドル２が一体回転可能に連結されている。また駆動軸３０には、第１ワンウェイクラッチ３４のラチェットホイール３５が一体回転可能が装着されている。ラチェットホイール３５は、軸方向内方（図６左方）への移動が規制された状態で装着されている。ラチェットホイール３５は、図示しないラチェット爪により糸繰り出し方向の回転が禁止される。駆動軸３０の基端は、第２側板７ｂ図示しない軸受により回転自在に支持されている。また、駆動軸３０は、ローラ型の第２ワンウェイクラッチ３６により第２側カバー８ｂの第１ボス部８ｆに支持されている。駆動軸３０は、第１ワンウェイクラッチ３４により糸繰り出し方向の回転が禁止されている。駆動軸３０の糸繰り出し方向の回転を禁止することによりドラグ機構３３が動作可能になる。第２ワンウェイクラッチ３６は、駆動軸３０の糸繰り出し方向の回転を迅速に禁止する。
【００５７】
駆動ギア３１は、駆動軸３０に回転自在に装着されている。駆動ギア３１は、ドラグ機構３３のドラグ座金３７により押圧される。駆動ギア３１は、ドラグ機構３３により糸繰り出し方向の回転が制動される。これにより、スプール１０の糸繰り出し方向の回転が制動される。
【００５８】
第３ギア部材５４は、ハンドル２の回転をスプール１０に伝達するために設けられている。第３ギア部材５４は、図７に示すように、第２遊星減速機構４９のキャリアに一体回転可能に連結されている。第３ギア部材５４は、駆動ギア３１に噛み合い、ハンドル２の回転を第２遊星減速機構４９のキャリアに伝達する。キャリアに伝達された回転は、第１ギア部材５２及び第２ギア部材５３を介してピニオンギア３２に伝達される。第３ギア部材５４から第２ギア部材５３までの減速比は概ね「１」である。
【００５９】
ドラグ機構３３は、ドラグ座金３７と、ドラグ力を調整するためのスタードラグ３と、を有している。ドラグ機構３３は、スプール１０の糸繰り出し方向の回転を制動して釣り糸の切断を防止するために設けられる。ドラグ機構３３は、設定されたドラグ力以上の力がスプール１０に作用するとスプール１０を糸繰り出し方向に空転させる。
【００６０】
キャスティングコントロール機構２１は、図７に示すように、スプール軸１４の両端を押圧してスプール１０を制動する機構である。
上記のレベルワインド機構２２では、ハンドル２又はモータ１２によりスプール１０が糸巻取方向に回転すると、レベルワインド機構２２が動作して釣り糸ガイド２３が左右方向に往復移動し、スプール１０の前方で釣り糸を案内する。これにより、釣り糸がスプール１０に可及的に均等に巻き付けられる。
【００６１】
一方、クラッチ操作部材１１がクラッチオフ位置に操作され、スプール１０から釣り糸が繰り出されると、モータ１２が回転する。モータ１２の回転は、第１回転伝達機構４５を介してレベルワインド機構２２のトラバースカム軸２４に伝達され、釣り糸ガイド２３がスプール軸方向に移動する。そして、釣り糸ガイド２３が所定位置（例えば、釣り糸ガイド２３の左右方向の移動範囲の中心の位置付近）に移動すると、そのことがガイドセンサ６５により検出され、釣り糸ガイド２３が所定位置に配置される。これにより、糸巻取時に往復移動するレベルワインド機構２２において、糸繰り出し時の抵抗を軽減することができる。
【００６２】
また、釣り糸ガイド２３が釣り糸を案内するとき、モータ１２の真上を通過する釣り糸が筒状のガイド部２５ａに案内される。これにより、釣り糸がモータ１２の収納部である第２連結部材７ｄに接触しなくなる。
【００６３】
＜第２実施形態＞
第１実施形態では、釣り糸ガイド２３のガイド部２５ａがモータ１２の中心ＭＣを大きく超えてスプール１０の近傍まで配置されているが、本発明はこれに限定されず、ガイド部は、モータ１２の中心ＭＣを挟んで配置されればよい。
【００６４】
図１３において、第２実施形態に係るレベルワインド機構１２２の釣り糸ガイド１２３のガイド本体１２５では、ガイド部１２５ａの通過部１２５ｂの前後方向の長さが第１実施形態の通過部２５ｂよりも短い。第２実施形態の通過部１２５ｂの後端部は、モータ１２の中心ＭＣを通る中心線ＣＬよりも僅かに後方に配置される。また、硬質リング１２５ｃの後端は、通過部１２５ｂの後端部よりも凹んで配置される。硬質リング１２５ｃの内周面の両端は断面が円弧状のフィレット形状に形成されている。
【００６５】
また、釣り糸ガイド１２３は第２ガイド軸２７ｂ及びカバー部材２９によって第２方向Ｙに案内される。第１ガイド軸２７ａは、第２実施形態では、釣り糸ガイド１２３の案内機能を果たすのではなく、スプール１０から繰り出される釣り糸が第２連結部材７ｄの外周面に接触しないようにするために設けられている。なお、第１ガイド軸２７ａは設けなくてもよい。
【００６６】
その他の電動リールの構成は第１実施形態と同様であるので説明を省略する。
【００６７】
第２実施形態では、ガイド部１２５ａの後端部が第１実施形態のガイド部２５ａよりも前方に配置される。このため、糸繰り出し時の抵抗が第１実施形態のレベルワインド機構２２よりも小さくなる。
【００６８】
＜特徴＞
上記実施形態は、下記のように表現可能である。
【００６９】
（Ａ）電動リールのレベルワインド機構２２は、リール本体２に収納されるモータ１２がスプール１０の前方に配置される機構である。レベルワインド機構２２は、釣り糸ガイド２３と、トラバースカム軸２４と、を備えている。釣り糸ガイド２３は、モータ１２の上方にモータ１２の中心を挟んで概ね前後方向に延び、釣り糸を案内する筒状のガイド部２５ａを有する。トラバースカム軸２４は、外周面に交差する螺旋状溝２４ａが形成され、少なくともスプール１０の糸巻取方向の回転に連動してスプール軸１４と平行な方向に釣り糸２３ガイドを往復移動させる。
【００７０】
このレベルワインド機構２２では、トラバースカム軸２４の回転により往復移動する釣り糸ガイド２３の筒状のガイド部２５ａがモータ１２の中心ＭＣを挟んで概ね前後方向に延びている。このため、モータ１２の真上を通過する釣り糸が筒状のガイド部２５ａに案内される。これにより、釣り糸がモータ１２の収納部である第２連結部材７ｄに接触しなくなる。
【００７１】
（Ｂ）レベルワインド機構２２において、トラバースカム軸２４は、モータ１２の中心ＭＣよりも前方に配置される。この場合には、モータ１２の中心ＭＣよりトラバースカム軸２４が前方に配置されても、ガイド部２５ａの後端部がスプール１０に近い位置に配置されるので、糸巻形状が安定する。
【００７２】
（Ｃ）レベルワインド機構２２において、トラバースカム軸２４は、モータ１２の中心ＭＣよりも上方に配置される。この場合には、トラバースカム軸２４がモータ１２の中心ＭＣよりも上方に配置されるので、ガイド部２５ａとトラバースカム軸２４との距離が短くなり、トラバースカム軸２４の回転により移動する釣り糸ガイド２３ががたつきにくくなり、釣り糸を安定して案内できる。
【００７３】
（Ｄ）レベルワインド機構２２において、ガイド部２５ａは、前端部が後端部よりもモータから離反するように前上がりに傾斜する。この場合には、ガイド部２５ａが前上がりに傾斜するので、濡れた釣り糸からの水がガイド部２５ａ内に付着しても、付着した水が傾斜によりガイド部２５ａから抜けやすくなる。
【００７４】
（Ｅ）レベルワインド機構２２において、ガイド部２５ａは、内部を釣り糸が通過可能であり、モータ１２の中心ＭＣを挟んで配置される筒状の通過部２５ｂと、通過部２５ｃの内部に配置される少なくとも１つの硬質リング部２５ｃと、を有する。この場合には、釣り糸が硬質リング部２５ｃに接触するので、釣り糸が接触してもガイド部２５ａが磨耗しにくい。また、硬質リング部２５ｃの表面を滑らかにすることで、釣り糸が接触しても繰り出し速度か低下しにくい。
【００７５】
（Ｆ）レベルワインド機構２２において、釣り糸ガイド２３は、ガイド本体２５と、係合部材と、を有する。ガイド本体２５は、ガイド部２５ａと、ガイド部２５ａと一体で形成される収納部２５ｅと、を有し、トラバースカム軸２４が貫通する。係合部材２６は、収納部２５に収納され螺旋状溝に係合する。この場合には、係合部材２６がトラバースカム軸２４の交差する螺旋状溝２４ａに係合することにより、釣り糸ガイド２３が往復移動する。
【００７６】
（Ｇ）レベルワインド機構２２において、モータ１２は、リール本体２に設けられる筒状の第２連結部材２ｄに収納される。ガイド本体２５は、ガイド部２５ａから収納部２５ｅに向かって第２連結部材７ｄの外周面に沿って湾曲して形成される。この場合には、ガイド部２５ａから係合部材２６が収納される収納部２５ｅが第２連結部材７ｄの外周面に沿って形成されるので、ガイド本体２５をコンパクトに配置できる。
【００７７】
（Ｈ）レベルワインド機構２２は、第１ガイド軸２７ａと第２ガイド軸２７ｂとをさらに備える。第１ガイド軸２７ａは、ガイド部２５ａのスプール１０側の端部にガイド部２５ａを貫通してトラバースカム軸２４と平行に配置される。第２ガイド軸２７ｂは、ガイド部２５ａと収納部２５ｅとの間でガイド本体２５を貫通してトラバースカム軸２４と平行に配置される。この場合には、従来設けられる第２ガイド軸２７ｂに加えて糸繰り出し時に釣り糸が案内される入り口付近に第１ガイド軸２７ａを設けることにより、釣り糸が絡みにくくなる。また、第２ガイド軸２７ｂにより、前後方向長さが長いガイド部２５ａの補強を行うことができる。これにより、釣り糸ガイド２３が安定して案内され、釣り糸ガイド２３の往復移動がスムーズになる。
【００７８】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００７９】
（ａ）前記実施形態では、モータ１２の前方にトラバースカム軸２４が配置された電動リールを例に本発明を説明したが、モータとスプールとの間にトラバーカム軸が配置された電動リールにも本発明を適用できる。この場合には、スプールとモータとの間にトラバースカム軸を配置しても、ガイド部の前端部がモータの中心よりも前方に配置されるので、モータの収納部に釣り糸が接触しない。
【００８０】
（ｂ）前記実施形態では、通過部２５と概ね同じ長さの１つの硬質リング２５を例示したが、本発明はこれに限定されない。例えば、通過部の前端と後端とに２つ配置してもよい。
【００８１】
（ｃ）前記実施形態では、ガイド部２５ａの内部に付着した水抜きを行いやすくするために、ガイド部２５ａを前上がりに傾斜させたが、本発明はこれに限定されない。ガイド部を前後方向に沿って配置してもよいし、ガイド部を前下がりに傾斜して配置してもよい。
【符号の説明】
【００８２】
１    リール本体
７ｄ    第２連結部材（モータ収納部の一例）
１０    スプール
１２    モータ
１４    スプール軸（スプールの回転軸の一例）
２２，１２２    レベルワインド機構
２３，１２３    釣り糸ガイド
２４    螺軸
２４ａ  螺旋状溝
２５，１２５    ガイド本体
２５ａ，１２５ａ  ガイド部
２５ｂ，１２５ｂ  通過部
２５ｃ，１２５ｃ  硬質リング
２５ｅ  収納部
２６    係合部材
２６ａ  係合部
２７ａ  第１ガイド軸
２７ｂ  第２ガイド軸
【図１】
2014000029.tif 000003
【図２】
2014000029.tif 000004
【図３】
2014000029.tif 000005
【図４】
2014000029.tif 000006
【図５】
2014000029.tif 000007
【図６】
2014000029.tif 000008
【図７】
2014000029.tif 000009
【図８】
2014000029.tif 000010
【図９】
2014000029.tif 000011
【図１０】
2014000029.tif 000012
【図１１】
2014000029.tif 000013
【図１２】
2014000029.tif 000014
【図１３】
2014000029.tif 000015